(57)【特許請求の範囲】
【請求項１】
ドライバーユニットの振動板の前面部に取り付けられるプレッシャーカバーであって、
前記プレッシャーカバーが凸面を備え、該プレッシャーカバーの中心部に高音用の孔が貫通形成され、該プレッシャーカバーの外縁部に低音用の複数の孔が貫通形成され、
前記複数の低音用の穴に隣接して前記複数の低音用の孔を取り囲むように前記プレッシャーカバーの前面にリングを立設し、
前記リングは高さが１〜３ｍｍであり、
前記リングは前記高音用の孔および前記低音用の孔の前方を覆わないことを特徴とするイヤホン用プレッシャーカバー。
【請求項２】
前記リングとプレッシャーカバー表面のうち前記リングの内側のなす角度は鋭角である請求項１のイヤホン用プレッシャーカバー。
【請求項３】
前記リングが円形である請求項１のイヤホン用プレッシャーカバー。
【請求項４】
ハウジングと、該ハウジング内に配置されるドライバーユニットとを備え、該ドライバーユニットの振動板の前面に請求項１〜３いずれかに記載のイヤホン用プレッシャーカバーが取り付けられるイヤホン。
【発明の詳細な説明】
【技術分野】
【０００１】
本発明は、イヤホン用プレッシャーカバー及び振動板を備えたイヤホンに関する。
【背景技術】
【０００２】
従来より、出力音圧、歪み率などの音響特性において優れたイヤホンが望まれている。
【０００３】
特許文献１に示す通り、振動板を有するドライバーユニットによりフロントチャンバとリアチャンバに分割するイヤホンが提案されている。
【０００４】
このイヤホンは、振動板などの振動系などによって構成され、電流に応じて発生する振動が振動板に伝わり、振動板が空気を振動することでイヤホンから音が放音される。
【先行技術文献】
【特許文献】
【０００５】
【特許文献１】特開２００８−１７４７３号公報
【発明の概要】
【発明が解決しようとする課題】
【０００６】
しかし、価格をはるかに超えた音質を提供することは困難である。
【０００７】
そこで、本発明はこのような問題を鑑みてなされたものであり、従来得られなかった濃密でリアリティのある音を実現しライブ音源もリアルに再生できる低価格イヤホンを提供する。
【課題を解決するための手段】
【０００８】
上述した課題を解決するため、本発明のイヤホン用プレッシャーカバーは、ドライバーユニットの振動板の前面部に取り付けられるプレッシャーカバーであって、前記プレッシャーカバーが凸面を備え、該プレッシャーカバーに複数の孔が貫通形成され、前記孔を取り囲むように前記プレッシャーカバーの前面にリングを立設したことを特徴とするイヤホン用プレッシャーカバーである。
【０００９】
前記リングは複数の孔に接して周設されていることが好ましい。
【００１０】
前記リングとプレッシャーカバー表面のうち前記リングの内側のなす角度は鋭角であることが好ましい。
【００１１】
前記リングが円形であることが好ましい。
【００１２】
前記孔が低音用の孔であることが好ましい。
【００１３】
前記プレッシャーカバーの中心部に高音用の孔が形成され、該高音用の孔の周囲に低音用の孔が形成され、該低音用の孔を囲むように前記リングを設けることが好ましい。
【００１４】
本発明は、また、ハウジングと、該ハウジング内に配置されるドライバーユニットとを備え、該ドライバーユニットの振動板の前面に前記イヤホン用プレッシャーカバーが取り付けられるイヤホンである。
【発明の効果】
【００１５】
本発明のイヤホン用プレッシャーカバー及びイヤホンによれば、従来、得られなかった濃密でリアリティのある音を実現しライブ音源もリアルに再生できる低価格イヤホンを提供することができる。
【図面の簡単な説明】
【００１６】
【図１】本発明実施形態の斜視図である。
【図２】本発明実施形態のイヤホンの分解斜視図である。
【図３】本発明実施形態のプレッシャーカバーの斜視図である。
【図４】（ａ）は本発明実施形態のプレッシャーカバーの平面図、（ｂ）は同じく中央縦断面図である。
【発明を実施するための形態】
【００１７】
以下、本発明における好適な実施の形態について説明する。なお、以下に説明する実施の形態は、特許請求の範囲に記載された本発明の内容を限定するものではない。また、以下に説明される構成の全てが、本発明の必須要件であるとは限らない。
【００１８】
本発明の実施形態であるイヤホン１は、ダイナミック型イヤホンであり、開口部２を有する第１ハウジング３と、第１ハウジング３が取り付けられる第２ハウジング４と、第１ハウジング３と第２ハウジング４で形成される内部空間５に配置されるドライバーユニット６と、ドライバーユニット６の前面部に取り付けられるプレッシャーカバー７と、を備え、プレッシャーカバー７に複数の孔８ａ，８ｂが貫通形成され、孔８を取り囲むようにプレッシャーカバー７の前面７ａにリング９を立設したことを特徴とする。以下、詳細に説明する。
【００１９】
開口部２に代えて、孔に網またはフィルタを被覆したものでも良い。独自の開口部２の形状により、フィット感をアップさせるとともにイヤーパッドを不要とすることができる。感度は１０８デシベルが例示される。
【００２０】
ドライバーユニット６の口径は適宜の範囲に設定される。例えば、15.5ミリ径という大口径のダイナミック型を採用し、一般的なダイナミック型に比べてその振動板の面積を約２〜３倍程度としてもよい。すべての帯域で余裕のある音楽再生が可能になる。ドライバーユニット６にネオジウム磁石を使用してもよい。
【００２１】
プレッシャーカバー７は、ドライバーユニット６の振動板の前面に設けられた、振動板前後の空間内の圧力差を最適化するカバーである。第２ハウジングに設けられた空気圧調整口１０とあわせ、振動板のゆがみを抑える。プレッシャーカバー７は、曲面形状である凸面を有し、また、ドライバーユニット６の振動板との間には空隙が設けてある。
【００２２】
プレッシャーカバー７には複数（図では４個）の低音用の孔８ａが、中央に貫通形成される高音用の孔８ｂの周囲に貫通形成されている。孔８ａはインピーダンスを上げるために孔８ｂよりも径を小さく設定してある。孔８ａはプレッシャーカバー７の外縁部に形成され直径は０．５〜１ｍｍが例示される（例えば、直径０．８ｍｍ）。孔８ｂは口径が３〜５ｍｍのものが例示される。なお、プレッシャーカバー７の口径はドライバーユニット６の口径に適合させるため、適宜設定可能である。
【００２３】
プレッシャーカバー７の複数の孔８ａを取り囲むように、円形のリング９を立設する。リング９のプレッシャーカバー７からの延出方向と、プレッシャーカバー７の凸方向とが合致するように設定されている。リング９とプレッシャーカバー７の表面７ａのうちリング９の内側とのなす角度が鋭角、たとえば、７０〜９０°好ましくは８０〜９０°に設定されている。これにより、表面７ａの凸面形状の拡がりとリング９の高さによって、ホーン効果が生じ、イヤホン１の能率が高くなる。リング９の角度は図示の通り垂直でもよいし、垂直から傾斜させてもよい。たとえば、外側に広げてもよい。リング９の高さは１〜３ｍｍが好ましい。リング９は、個々の孔８ａの縁とほぼ接するように、或いは、隣接して立設するとよい。
【００２４】
この構成により、イヤホン１が１Ｗのアンプから出力を受けた場合、３ｄＢ〜５ｄＢ能率が向上し、しかも、イヤホン１全体の歪率が下がる。小さな音量で大きな音がするホーン効果が生じ、音を効率よく遠くに伝えることができる。インナーホン、ヘッドホン、小型のイヤホン等に適用できる。
【００２５】
第２ハウジング４には基部１１が取り付けられ、配線１２が備えられている。配線１２はドライバーユニット６と接続されている。
【００２６】
なお、上記実施例は、本発明の態様を実施するに当たって、本発明者により採用された技術の代表例である。これら技術は上述の本発明を実施するための好ましい実施例の例示である。また、本技術分野に属する者は、本発明の開示に鑑みて、本発明の精神及び意図された要旨から離れることなく多数の改変・追加等が可能である。
【符号の説明】
【００２７】
１・・・  イヤホン
２・・・  開口部
３・・・  第１ハウジング
４・・・  第２ハウジング
５・・・  内部空間
６・・・  ドライバーユニット
７・・・  プレッシャーカバー
７ａ・・・  表面
８ａ，８ｂ・・・  孔
９・・・  リング
１０・・・  空気圧調整口
１１・・・  基部
１２・・・  配線
【図１】
0005449213.tif 000002
【図２】
0005449213.tif 000003
【図３】
0005449213.tif 000004
【図４】
0005449213.tif 000005